(57)【要約】【課題】複数の遮蔽領域を形成するシールドケースを容易に形成する手段を提供する。【解決手段】天板２と、天板２のそれぞれの端辺において天板２に対して直角の同一方向に折り曲げられた側板２１、２２、２３、２４とを有し、基板上に設けられた回路の少なくとも一部を覆うシールドケース１において、天板２は、基板上の領域に複数の遮蔽領域を形成する複数の遮蔽板（３１ａ〜３１ｇ、３２ａ〜３２ｆ）を有し、遮蔽板（３１ａ〜３１ｇ、３２ａ〜３２ｆ）は、天板２に対する切り込みと、天板２と接続された接続辺とによって形成され、接続辺において側板２１、２２、２３、２４と同一方向に折り曲げられて形成される。【選択図】        図１
2018032656.tif 000002
【特許請求の範囲】
【請求項１】
天板と、前記天板のそれぞれの端辺において前記天板に対して直角の同一方向に折り曲げられた側板とを有し、基板上に設けられた回路の少なくとも一部を覆うシールドケースにおいて、
前記天板は、前記基板上の領域に複数の遮蔽領域を形成する複数の遮蔽板を有し、
前記遮蔽板は、前記天板に対する切り込みと、前記天板と接続された接続辺とによって形成され、前記接続辺において前記側板と同一方向に折り曲げられて形成されることを特徴とするシールドケース。
【請求項２】
請求項１に記載のシールドケースにおいて、
前記遮蔽板は、前記接続辺から先端部までの長さが、前記天板に対して直角方向における前記側板の高さ以上の長さに形成されていることを特徴とするシールドケース。
【請求項３】
請求項１または請求項２に記載のシールドケースにおいて、
前記遮蔽板は、前記接続辺の延伸方向に少なくとも１列に配列されていることを特徴とするシールドケース。
【請求項４】
請求項３に記載のシールドケースにおいて、
前記遮蔽板は、第１の遮蔽板列および第２の遮蔽板列の２列に配列されていることを特徴とするシールドケース。
【請求項５】
請求項４に記載のシールドケースにおいて、
前記遮蔽板は、矩形状に形成され、
前記遮蔽板の配列方向における間隔は、前記遮蔽板の接続辺の長さと同じであり、
前記第１の遮蔽板列の遮蔽板と、前記第２の遮蔽板列の遮蔽板とは、互い違いに配列されていることを特徴とするシールドケース。
【請求項６】
請求項５に記載のシールドケースにおいて、
前記遮蔽板の配列方向における間隔、前記遮蔽板の接続辺の長さ、および前記遮蔽板の前記接続辺から先端部までの長さは、遮蔽する電磁波の４分の１波長以下であることを特徴とするシールドケース。
【請求項７】
請求項１から請求項６のいずれかに記載のシールドケースにおいて、
前記遮蔽板は、先端部が前記基板上に配設されたグランドに接触していることを特徴とするシールドケース。
【請求項８】
請求項１から請求項７のいずれかに記載のシールドケースにおいて、
前記遮蔽板は、前記基板上に配設されたグランドに対応して設けられていることを特徴とするシールドケース。
【発明の詳細な説明】
【技術分野】
【０００１】
本発明は、基板上の電気回路を覆うシールドケースに関する。
【背景技術】
【０００２】
従来のシールドケースは、上下開放の略矩形状のシールドケースと、シールドケースの上下の開口部を閉塞するシールドカバーとを設け、独立したシールドエリアを構築するようにしている（例えば、特許文献１参照）。
【先行技術文献】
【特許文献】
【０００３】
【特許文献１】特開平５−３３５７７３号公報
【発明の概要】
【発明が解決しようとする課題】
【０００４】
しかしながら、従来の技術においては、複数の遮蔽領域としてのシールドエリアを閉塞する場合、閉塞する複数のシールドエリアに対応した複数のシールドケースを被せる必要があり、または複数のシールドエリアを仕切るための仕切りを形成したシールドケースを被せる必要があり、シールドケースの形成が複雑になってしまうという問題がある。
【０００５】
本発明は、このような問題を解決することを課題とし、複数の遮蔽領域を形成するシールドケースを容易に形成できるようにすることを目的とする。
【課題を解決するための手段】
【０００６】
そのため、本発明は、天板と、前記天板のそれぞれの端辺において前記天板に対して直角の同一方向に折り曲げられた側板とを有し、基板上に設けられた回路の少なくとも一部を覆うシールドケースにおいて、前記天板は、前記基板上の領域に複数の遮蔽領域を形成する複数の遮蔽板を有し、前記遮蔽板は、前記天板に対する切り込みと、前記天板と接続された接続辺とによって形成され、前記接続辺において前記側板と同一方向に折り曲げられて形成されることを特徴とする。
【発明の効果】
【０００７】
このようにした本発明は、複数の遮蔽領域を形成するシールドケースを容易に形成できるという効果が得られる。
【図面の簡単な説明】
【０００８】
【図１】実施例におけるシールドケースの構成を示す平面図
【図２】実施例におけるシールドケースの平面図および側面図
【図３】実施例におけるシールドケースの斜視図
【図４】実施例におけるシールドケースの取り付け説明図
【図５】実施例における遮蔽板の配列の説明図
【図６】変形例におけるシールドケースの構成を示す平面図
【発明を実施するための形態】
【０００９】
以下、図面を参照して本発明によるシールドケースの実施例を説明する。
【実施例】
【００１０】
図１は実施例におけるシールドケースの構成を示す平面図である。なお、図１（ａ）は組み立て前のシールドケースの展開図、図１（ｂ）は遮蔽部の拡大図である。
図１において、シールドケース１は、基板上に設けられた回路としての電気回路（例えば、無線通信装置の無線通信回路）の少なくとも一部を覆うものであり、電気回路からの電磁放射を抑え、また外部からの外来ノイズ等から電気回路を保護するためのものである。
【００１１】
シールドケース１は、導電性の金属板で構成され、天板２と、側板２１、２２、２３、２４とを有している。
【００１２】
天板２は、電気回路基板と対向する面を形成するものであり、電気回路基板との間で形成される空間を遮蔽する矩形状のものである。この天板２には、電気回路基板との間で形成される空間をさらに遮蔽された複数の空間を形成する遮蔽部３が形成されている。
【００１３】
側板２１、２２、２３、２４は、それぞれ天板２の四辺と連続する矩形状ものであり、天板２のそれぞれの端辺において、それぞれを天板２に対して直角の同一方向へ折り曲げることにより、シールドケース１の側面を形成する。この側板２１、２２、２３、２４は、天板２に対して直角方向において高さＨ１の側面を形成する。
【００１４】
遮蔽部３は、天板２に２列に複数の遮蔽板が配列されたものである。遮蔽部３のそれぞれの遮蔽板は、図１（ｂ）に示すように、矩形状に形成され、３辺が天板２に対して切込みが入れられた切込部３１１として形成され、１辺が天板２と連続した接続部（接続辺）３１２として形成されたものである。
【００１５】
遮蔽部３のそれぞれの遮蔽板は、接続部３１２において側板２１、２２、２３、２４と同一方向に折り曲げられて形成される。
遮蔽部３は、電気回路基板上の領域に複数の遮蔽領域を形成する複数の遮蔽板を有する第１の遮蔽板列３１と、第２の遮蔽板列３２とにより形成され、例えば第１の遮蔽板列３１は遮蔽板３１ａから遮蔽板３１ｇ、第２の遮蔽板列３２は遮蔽板３２ａから遮蔽板３２ｆが形成されている。
【００１６】
第１の遮蔽板列３１および第２の遮蔽板列３２は、図１（ｂ）に示す接続部３１２が延伸する方向に遮蔽板が複数配列されて形成され、第１の遮蔽板列３１と、第２の遮蔽板列３２とは略平行になるように配列されている。
【００１７】
なお、本実施例では、シールドケース１は、電気回路基板との間で形成される空間を２つの空間として遮蔽する例として説明するため、第１の遮蔽板列３１および第２の遮蔽板列３２の２列が形成されたものとして説明するが、少なくとも１列の遮蔽板列が形成されていれば良い。
【００１８】
ここで、遮蔽板の大きさおよび配列について説明する。
【００１９】
遮蔽板３１ａの大きさは、遮蔽部３の配列方向における幅はＷ１、配列方向と直交する方向の高さはＨ２として矩形状に形成されている。なお、遮蔽板３１ｂから遮蔽板３１ｇ、および遮蔽板３２ａから遮蔽板３２ｆも遮蔽板３１ａと同じ大きさで形成されている。
また、第１の遮蔽板列３１の配列方向において、遮蔽板３１ａと側板２１との間隔は幅Ｗ１、遮蔽板３１ａと隣り合う遮蔽板３１ｂとの間隔は幅Ｗ１として配列されている。
【００２０】
なお、遮蔽板３１ｇと側板２３との間隔も幅Ｗ１、遮蔽板３１ｂと遮蔽板３１ｃとの間隔、遮蔽板３１ｃと遮蔽板３１ｄとの間隔、遮蔽板３１ｄと遮蔽板３１ｅとの間隔、遮蔽板３１ｅと遮蔽板３１ｆとの間隔、遮蔽板３１ｆと遮蔽板３１ｇとの間隔も幅Ｗ１として配列されている。
【００２１】
また、第２の遮蔽板列３２の配列方向において、遮蔽板３２ａと側板２１との間隔は幅Ｗ１×２、遮蔽板３２ａと隣り合う遮蔽板３２ｂとの間隔は幅Ｗ１として配列されている。
【００２２】
なお、遮蔽板３２ｆと側板２３との間隔も幅Ｗ１×２、遮蔽板３２ｂと遮蔽板３２ｃとの間隔、遮蔽板３２ｃと遮蔽板３２ｄとの間隔、遮蔽板３２ｄと遮蔽板３２ｅとの間隔、遮蔽板３２ｅと遮蔽板３２ｆとの間隔も幅Ｗ１として配列されている。
【００２３】
即ち、それぞれの遮蔽板の配列方向における間隔は、それぞれの遮蔽板の接続辺（図１（ｂ）に示す接続部３１２）の長さと同じである。
【００２４】
第１の遮蔽板列３１の配列方向における２つの遮蔽板（例えば、遮蔽板３２ａと遮蔽板３２ｂ）との間に対応するように第２の遮蔽板列３２の１つの遮蔽板（例えば、遮蔽板３２ａ）が配設、即ち第１の遮蔽板列３１の遮蔽板と第２の遮蔽板列３２の遮蔽板とは互い違いに配列されている。
【００２５】
さらに、第１の遮蔽板列３１と第２の遮蔽板列３２との間隔、即ち遮蔽板３１ａの接続部３１２ａと、遮蔽板３２ａの接続部３２２ａとの間隔は、幅Ｗ２として第１の遮蔽板列３１と第２の遮蔽板列３２とが配設されている。
【００２６】
幅Ｗ１は、遮蔽すべき電磁波の周波数の１／４波長（波長の４分の１の幅）以下に設定する。これは、一般的に、幅Ｗ１を遮蔽すべき電磁波周波数に対する共振波長１／４波長以下とすることにより、電磁気的に連続したシールド構造とみなすことができ、電磁波の漏洩を防止することができるためである。（特開２００９−２６７０７５号公報の段落「００１６」〜「００１８」、特開２００９−３０２２４８号公報の段落「００４１」参照）
例えば、遮蔽すべき電磁波の周波数が５ＧＨｚの場合、波長λは６０ｍｍ（光速：３００×１０９ｍｍ／ｓ÷周波数：５ＧＨｚ）となり、λ／２（３０ｍｍ）〜λ／４（１５ｍｍ）が最も共振しやすい波長となる。したがって、幅Ｗ１をλ／４（１５ｍｍ）以下とすることで周波数が５ＧＨｚの電磁波の漏洩を防止することができる。
【００２７】
幅Ｗ２は、幅Ｗ１よりも大きく、天板２の強度等を考慮して設定するものとする。
【００２８】
高さＨ２は、高さＨ１と同一または高さＨ１より高く設定する。即ち、遮蔽板３１ａから遮蔽板３１ｇ、および遮蔽板３２ａから遮蔽板３２ｆは、接続部から先端部までの長さ（高さＨ２）が、天板２に対して直角方向における側板２１、２２、２３、２４の高さＨ１と同一または高さＨ１より長く形成されている。これは、遮蔽板３１ａから３１ｇ、遮蔽板３２ａから３２ｆを電気回路基板のグランド（ＧＮＤ）に接触（接地）させるためである。
【００２９】
さらに、高さＨ２は、幅Ｗ１以下になるように設定する。
【００３０】
なお、本実施例では、第１の遮蔽板列３１に７つの遮蔽板、第２の遮蔽板列３２に６つの遮蔽板を配列した例で説明するが、それに限定されることなく、第１の遮蔽板列３１に２つ以上の遮蔽板、第２の遮蔽板列３２に１つ以上の遮蔽板を配列するようにしても良い。また、第２の遮蔽板列３２に２つ以上の遮蔽板、第１の遮蔽板列３１に１つ以上の遮蔽板を配列するようにしても良い。
【００３１】
図２は実施例におけるシールドケースの平面図および側面図であり、図２（ａ）はシールドケースの平面図、図２（ｂ）（ｃ）はシールドケースの側面図である。また、図３は実施例におけるシールドケースの斜視図であり、シールドケースの内側を視た斜視図である。なお、図２および図３は、図１に示すシールドケース１の側板２１、２２、２３、２４を天板２に対して直角の同一方向へ折り曲げ、また第１の遮蔽板列３１および第２の遮蔽板列３２のそれぞれの遮蔽板を接続部において天板２に対して直角の同一方向（側板２１、２２、２３、２４と同じ方向）へ折り曲げて形成したものである。
【００３２】
図２（ａ）に示すように、天板２には、遮蔽板３１ａから遮蔽板３１ｇに対応して開口部３１３ａから開口部３１３ｇ、および遮蔽板３２ａから遮蔽板３２ｆに対応して開口部３２３ａから開口部３１３ｆが形成される。
【００３３】
この開口部３１３ａから開口部３１３ｇおよび開口部３２３ａから開口部３１３ｆは、幅Ｗ１、高さＨ２として形成される。
【００３４】
また、高さＨ２を高さＨ１より高く設定した場合、図２（ｂ）（ｃ）に示すように、第１の遮蔽板列３１および第２の遮蔽板列３２のそれぞれの遮蔽板（遮蔽板３１ａから遮蔽板３１ｇ、および遮蔽板３２ａから遮蔽板３２ｆ）は、側板２３、２４を含むそれぞれの側板から高さ（Ｈ２−Ｈ１）だけ突出している。なお、突出量としての高さ（Ｈ２−Ｈ１）は、電気回路基板のグランドの形状に合わせて適宜設定することが可能である。
【００３５】
上述した構成の作用について説明する。
【００３６】
図４は実施例におけるシールドケースの取り付け説明図であり、図４（ａ）は図２および図３に示すシールドケース１を電気回路基板に被せるときの斜視図、図４（ｂ）はシールドケース１を電気回路基板に被せた状態の斜視図である。また、図５は実施例における遮蔽板の配列の説明図である。
【００３７】
図４（ａ）に示すように、電気回路基板５０上にシールドケース１を被せて固定する。
【００３８】
電気回路基板５０には、２つの電気回路として無線通信回路５１と、増幅回路５２とが配設され、無線通信回路５１と増幅回路５２とは接続配線５５で接続されている。
無線通信回路５１と、増幅回路５２との間には、グランド５６ａとグランド５６ｂとが配設されている。また、グランド５６ａとグランド５６ｂとの間に、接続配線５５が配設されている。
【００３９】
図４（ｂ）に示すように、電気回路基板５０上にシールドケース１が被せられて固定されると、第１の遮蔽板列３１および第２の遮蔽板列３２のそれぞれの遮蔽板（図２に示す遮蔽板３１ａから遮蔽板３１ｇ、および遮蔽板３２ａから遮蔽板３２ｆ）で電気回路基板５０上の空間が２つの領域に分割される。
【００４０】
このとき、図５に示すように、電気回路基板５０に形成されたグランド５６ａにシールドケース１の遮蔽板３１ａ、３１ｂ、３１ｃ、および遮蔽板３２ａ、３２ｂ、３２ｃの先端部が接触し、グランド５６ｂにシールドケース１の遮蔽板３１ｄ、３１ｅ、３１ｆ、３１ｇ、および遮蔽板３２ｄ、３２ｅ、３２ｆの先端部が接触する。
【００４１】
また、シールドケース１の側板（図１に示す側板２１、２２、２３、２４）は、電気回路基板５０に形成されたグランドに接触している。
【００４２】
電気回路基板５０上に被せられたシールドケース１の第１の遮蔽板列３１および第２の遮蔽板列３２のそれぞれの遮蔽板は、隣り合う遮蔽板との間隔が幅Ｗ１（遮蔽する電磁波の１／４波長）以下とし、互い違いに配設されているため、電気回路５１および電気回路５２で発生した電磁波を遮蔽することができる。
【００４３】
また、シールドケース１の天板に形成された開口部（図２に示す開口部３１３ａから３１３ｇ、開口部３２３ａから３２３ｆ）の幅はＷ１以下とし、高さはＨ２（Ｗ１以下）として形成されているため、電気回路５１および電気回路５２で発生した電磁波を遮蔽することができる。
【００４４】
さらに、シールドケース１の第１の遮蔽板列３１および第２の遮蔽板列３２のそれぞれの遮蔽板の先端部がグランド５６ａ、５６ｂに接触することにより、シールドケース１の天板２および第１の遮蔽板列３１および第２の遮蔽板列３２に伝わる電磁波をグランドに逃がすことができる。
【００４５】
なお、遮蔽板の先端部は、グランド５６ａ、５６ｂに接触して撓むように形成されていても良い。
【００４６】
また、シールドケース１の第１の遮蔽板列３１および第２の遮蔽板列３２のそれぞれの遮蔽板は、電気回路基板５０の配設されたグランド（例えば、グランド５６ａとグランド５６ｂ）に対応させて形成することができる。
【００４７】
このように、本実施例では、電気回路基板５０を覆うシールドケース１の天板２に形成した遮蔽板を折り曲げて第１の遮蔽板列３１および第２の遮蔽板列３２を形成するようにしたことにより、複数の遮蔽領域を形成するシールドケース１を容易に形成できる。
また、電気回路基板５０上の空間を複数の領域に分割することができ、それぞれの領域の電気回路で発生した電磁波を遮蔽することができる。
【００４８】
さらに、シールドケース１の天板２の一部に切込を入れて折り曲げることにより第１の遮蔽板列３１および第２の遮蔽板列３２を形成することができるため、シールドケース１の製造コストを低減させることができる。
【００４９】
またさらに、分割する電気回路基板５０上の空間の領域が増加した場合であっても、形成する遮蔽板列を増加させることにより容易に対応することができ、製造コストを増加させることなく対応することができる。
【００５０】
また、シールドケース１の第１の遮蔽板列３１および第２の遮蔽板列３２のそれぞれの遮蔽板は、隣り合う遮蔽板との間隔が幅Ｗ１（遮蔽すべき電磁波の１／４波長）以下とし、互い違いに配設するようにしたため、それぞれの領域の電気回路で発生した電磁波を効果的に遮蔽することができる。
【００５１】
なお、本実施例では、シールドケース１に第１の遮蔽板列３１および第２の遮蔽板列３２を形成して電気回路基板５０上の空間を２つの領域に分割する例を説明したが、第１の遮蔽板列３１および第２の遮蔽板列３２と同様の遮蔽板列を形成することにより、電気回路基板５０上の空間を３つ以上の領域に分割することもできる。
【００５２】
また、本実施例では、遮蔽部３は、第１の遮蔽板列３１および第２の遮蔽板列３２の２列の遮蔽板列として形成された例で説明したが、図６に示すように、変形例として１列の遮蔽板列として形成するようにしても良い。
【００５３】
図６に示す変形例の場合、遮蔽部３は、電気回路基板上の領域に複数の遮蔽領域を形成する複数の遮蔽板を有する１列の遮蔽板列３３により形成され、例えば遮蔽板列３３は遮蔽板３３ａから遮蔽板３３ｇが形成されている。
変形例においても、幅Ｗ１は、遮蔽すべき電磁波の周波数の１／４波長（波長の４分の１の幅）以下に設定し、また高さＨ２は、高さＨ１と同一または高さＨ１より高く設定する。
【００５４】
したがって、変形例においても、複数の遮蔽領域を形成するシールドケース１を容易に形成できる。また、電気回路基板５０上の空間を複数の領域に分割することができ、それぞれの領域の電気回路で発生した電磁波を遮蔽することができる。
【００５５】
以上説明したように、本実施例では、電気回路基板を覆うシールドケースの天板に形成した遮蔽板を折り曲げて遮蔽板列を形成するようにしたことにより、複数の遮蔽領域を形成するシールドケースを容易に形成できるという効果が得られる。
【００５６】
また、電気回路基板上の空間を複数の領域に分割することができ、それぞれの領域の電気回路で発生した電磁波を遮蔽することができるという効果が得られる。
【００５７】
さらに、シールドケースの天板の一部に切込を入れて折り曲げることにより遮蔽板列を形成することができるため、シールドケースの製造コストを低減させることができるという効果が得られる。
【００５８】
またさらに、分割する電気回路基板上の空間の領域が増加した場合であっても、形成する遮蔽板列を増加させることにより容易に対応することができ、製造コストを増加させることなく対応することができるという効果が得られる。
また、シールドケースの遮蔽板列のそれぞれの遮蔽板は、隣り合う遮蔽板との間隔が幅Ｗ１（遮蔽すべき電磁波の１／４波長）以下とし、互い違いに配設したため、それぞれの領域の電気回路で発生した電磁波を効果的に遮蔽することができるという効果が得られる。
【００５９】
なお、本実施例では、シールドケース１は、無線通信装置の無線通信回路を覆うものとして説明したが、それに限られることなく、有線通信装置の有線通信回路等の各種電気回路を覆うものとしても良い。
【符号の説明】
【００６０】
１    シールドケース
２    天板
３    遮蔽部
２１、２２、２３、２４  側板
３１  第１の遮蔽板列
３１ａ〜３１ｇ、３２ａ〜３２ｆ、３３ａ〜３３ｇ  遮蔽板
３２  第２の遮蔽板列
３３  遮蔽板列
３１３ａ〜３１３ｇ、３２３ａ〜３１３ｆ  開口部
【図１】
2018032656.tif 000003
【図２】
2018032656.tif 000004
【図３】
2018032656.tif 000005
【図４】
2018032656.tif 000006
【図５】
2018032656.tif 000007
【図６】
2018032656.tif 000008